(57)【特許請求の範囲】
【請求項１】
装置本体が起立可能となるように該装置本体の一側面が平坦面である画像形成装置において、
前記装置本体の底面側に設けられており、給紙カセットを支持する給紙カセット支持フレームと、
該給紙カセット支持フレームの内側面に突出形成されており、前記給紙カセットを案内するガイドと
を備え、基板が固定されている機器保守用カバーを収容する収容凹部が前記装置本体の底面に形成されており、
前記装置本体を前記平坦面を底面とする起立状態とした場合に、前記ガイドと前記収容凹部の後側側面を構成する段部とが、前記収容凹部から取り外された前記機器保守用カバーを載置可能とするような位置関係で配設されていることを特徴とする画像形成装置。
【請求項２】
請求項１に記載の画像形成装置において、前記平坦面とされた一側面は、接続ケーブル端子が配設されない一側面であることを特徴とする画像形成装置。
【請求項３】
請求項１又は２に記載の画像形成装置において、前記装置本体を起立状態とした場合において、前記ガイドは前記給紙カセット支持フレームの中央に配置されているとともに、重心が下方側である画像形成装置。
【発明の詳細な説明】
【０００１】
【発明の属する技術分野】
本発明は、装置本体の底面側に機器保守用カバーが設けられた画像形成装置に関するものである。
【０００２】
【従来の技術】
従来、ファクシミリ装置等の画像形成装置は、機器保守用カバーが装置本体の底面側に設けられており、同カバーによって電子部品の実装された基板等が覆われている。
【０００３】
【発明が解決しようとする課題】
ところで、このような基板を保守・点検等する保守点検作業を行う際には上記装置本体をひっくり返す等する必要があった。特に、上記装置本体に給紙カセットを支持する給紙カセット支持フレームが取り付けられている場合には、同支持フレームを取り外した後、更に同装置本体をひっくり返す等して上記保守点検作業を行っていた。このため、上記保守点検作業の作業効率が悪かった。
【０００４】
本発明の目的は、装置本体の底面側に設けられた機器保守用カバーに覆われた基板等を効率的に保守点検作業することのできる画像形成装置を提供することにある。
【０００５】
【課題を解決するための手段】
上記目的を達成するために、請求項１記載の発明は、装置本体が起立可能となるように該装置本体の一側面が平坦面である画像形成装置において、前記装置本体の底面側に設けられており、給紙カセットを支持する給紙カセット支持フレームと、該給紙カセット支持フレームの内側面に突出形成されており、前記給紙カセットを案内するガイドとを備え、基板が固定されている機器保守用カバーを収容する収容凹部が前記装置本体の底面に形成されており、前記装置本体を前記平坦面を底面とする起立状態とした場合に、前記ガイドと前記収容凹部の後側側面を構成する段部とが、前記収容凹部から取り外された前記機器保守用カバーを載置可能とするような位置関係で配設されている。
【０００６】
請求項２記載の発明は、請求項１に記載の画像形成装置において、前記平坦面とされた一側面は、接続ケーブル端子が配設されない一側面である。
【０００７】
請求項３記載の発明は、請求項１又は２に記載の画像形成装置において、前記装置本体を起立状態とした場合において、前記ガイドは前記給紙カセット支持フレームの中央に配置されているとともに、重心が下方側である。
【０００８】
【発明の実施の形態】
以下、本発明を画像形成装置としてのファクシミリ装置に具体化した一実施形態について図１〜図６に従って説明する。
【０００９】
図１は本実施形態におけるファクシミリ装置１１を示す左側面図である。同図に示すように、このファクシミリ装置１１の外部形状は下部外装カバー１２、同下部外装カバー１２の前部上側に装着される上部外装カバー１３、同上部外装カバー１３の上側に回動可能に支持される操作表示パネル１４、上記下部外装カバー１２の後部上側に装着されるトップカバー１５、及び、同下部外装カバー１２の左側面に一体に形成された受話器支持部１６に装着される受話器台１７等によって形成されている。なお、上記受話器台１７上には受話器１８が配置されている。
【００１０】
上記受話器支持部１６には接続ケーブル端子１６ａが設けられており、同端子１６ａは上記受話器１８と通信接続されている。また、上記受話器支持部１６には、外部回線と通信接続するための接続ケーブル端子１６ｂ及び他の通信機器、例えば電話器等と通信接続するための接続ケーブル端子１６ｃも併せ設けられている。
【００１１】
ここで、上記下部外装カバー１２の後端面１２ａは、同カバー１２の底面１２ｂに対して略直角に起立する平坦面となるように形成されている。また、上記トップカバー１５の後端面１５ａは、上記下部外装カバー１２の上側に装着された状態において、上記後端面１２ａと同一面上の平坦面となるように形成されている。
【００１２】
図３に示すように、上記下部外装カバー１２の下側には、その左側端面１２ｃ、後端面１２ａ及び右側端面１２ｄに沿って下側に突出する左側フレーム２１、後部フレーム２２及び右側フレーム２３が同下部外装カバー１２と一体形成されている。そして、これら各フレーム２１〜２３によって三方が囲まれる空間によって給紙カセット収容部２４が形成されている。
【００１３】
上記左側フレーム２１及び右側フレーム２３の内側面には、それぞれ台状のガイド２６が一体に突出形成されている。図２に示されるように、これらガイド２６は、記録紙を装填した給紙カセット２７を上記給紙カセット収容部２４内へと案内する。そして、上記ガイド２６と上記給紙カセット２７の側壁に形成された台状の切り欠き２８とが嵌合することで、同カセット２７は上記下部外装カバー１２（左側・右側フレーム２１，２３）に安定支持される。なお、上記下部外装カバー１２に給紙カセット２７が支持された状態においては、同カセット２７の底壁はファクシミリ装置１１の底壁を兼ねている。
【００１４】
上記給紙カセット収容部２４の上側の壁面は、読取部及び記録部等の機構部を支持等する機構部支持台３１であって、装置本体の底面を形成している。
図２及び図４に示すように、上記機構部支持台３１下面の前部には、上方に略長方形状に窪んだ基板収容部４１が一体形成されている。なお、前記ガイド２６のうち中央に配置されたガイド２６の位置に略対応する基板収容部４１の後部側には、奥側に垂直に形成された段部４１ａが設けられている。
【００１５】
このように形成された基板収容部４１には、図５に示す上側に開口された略箱状の機器保守用カバーとしての基板プレート４３が設けられている。この基板プレート４３は、その四隅に配設されたボルト４４（図３参照）にて上記下部外装カバー１２（機構部支持台３１）に締結されている。なお、上記基板プレート４３には、電子部品の実装された基板４５が固定されている。
【００１６】
一方、図６に示すように上記機構部支持台３１下面の後部には、下側に鋏状に突出する複数のピックアップローラシャフト支持部５１が一体形成されている。ピックアップローラシャフト支持部５１には、ピックアップローラシャフト５２が回転可能に支持されている。このピックアップローラシャフト５２には、ピックアップローラ５３が固定されて同シャフト５２と一体回転する。このピックアップローラ５３は、前記給紙カセット２７に装填された記録紙を１枚ずつ送り出すためのものである。
【００１７】
上記ピックアップローラ５３及び上記ピックアップローラシャフト５２が配置された機構部支持台３１下面には、図３に示されるように機器保守用カバーとしてのガイドプレート５４が設けられている。このガイドプレート５４は、その四隅に配設されたボルト５５にて上記下部外装カバー１２（機構部支持台３１）に締結され、上記ピックアップローラシャフト５２を覆う。なお、上記ガイドプレート５４には、半円板状に形成されたガイド部５６が設けられている。
【００１８】
なお、前述のように下部外装カバー１２に給紙カセット２７が支持された状態においては、同カセット２７の底壁はファクシミリ装置１１の底壁を兼ねていた。従って、ファクシミリ装置１１に設けられた前記基板プレート４３及びガイドプレート５４は、上記給紙カセット２７を抜き取ることで外部に露出するようになっている。
【００１９】
図２に示すように、上記機構部支持台３１上面には、プラテンローラ配置部６１が一体に形成されている。
上記プラテンローラ配置部６１には、プラテンローラ６２が回転可能に配置される。このプラテンローラ６２は、前記トップカバー１５の下側に突出形成されたフレーム１５ｂに設けられる感熱ヘッド６３に対向配置されるものである。
【００２０】
下部外装カバー１２の後部には、別体のロアカバー６４が配設されている。
上記ロアカバー６４の上側には、ドナーフィルムが巻回されたドナーカセット６５が収容される。このドナーフィルムは、記録紙とともに上記プラテンローラ６２と上記感熱ヘッド６３との間に挟持される。このとき、上記感熱ヘッド６３の発熱によってドナーフィルムのインクが溶融すると、記録紙に画像が記録される。
【００２１】
従って、前記給紙カセット２７に装填された記録紙は、上記ピックアップローラ５３によって、１枚ずつ送り出される。このとき、この記録紙は前記ガイド部５６に沿って上記プラテンローラ６２側へと案内される。そして、上記プラテンローラ６２と上記感熱ヘッド６３との間に挟持された記録紙に画像が記録される。
【００２２】
ドナーカセット６５の収容されたロアカバー６４の上側には、外側方向に開閉可能となるように軸支された前記トップカバー１５が装着される。このトップカバー１５により、ドナーカセット６５の上側が覆われる。
【００２３】
次に、このように構成されたファクシミリ装置１１において、前記基板４５等の保守点検作業をする態様について図３〜図６に基づき説明する。
前述のように、上記下部外装カバー１２の後端面１２ａは、同カバー１２の底面１２ｂに対して略直角に起立する平坦面となるように形成されており、同カバー１２に装着されたトップカバー１５の後端面１５ａは、上記後端面１２ａと同一面上の平坦面となるように形成されている。従って、上記基板プレート４３を上記下部外装カバー１２から取り外す場合には、図３に示すようにまず装置本体を上記後端面１２ａ，１５ａと作業台の床面Ｆとが当接するように起立させる。このとき、前記給紙カセット２７は抜き取られているので、上記基板プレート４３は外部に露出している。この状態で、上記基板プレート４３を上記下部外装カバー１２（機構部支持台３１）に締結する全てのボルト４４を図４に示すように取り外すと、同基板プレート４３は、上記下部外装カバー１２から容易に取り外される。
【００２４】
また、上記基板プレート４３を上記下部外装カバー１２に取り付ける場合も、同様にすることで容易に行われる。
このように、上記基板プレート４３を上記下部外装カバー１２から容易に取り外し、あるいは容易に取り付けれることから、同基板プレート４３に固定された基板４５の保守点検作業も効率的に行われる。
【００２５】
なお、特に上記基板４５と下部外装カバー１２側の部品とを配線する作業、あるいは同基板４５と下部外装カバー１２側の部品との配線を取り外す作業等を行う場合には、図５に示す態様で行う。
【００２６】
すなわち、上記基板プレート４３を上記下部外装カバー１２（機構部支持台３１）に締結するボルト４４を全て取り外した状態において、同基板プレート４３を、前記段部４１ａと前記中央に配置されたガイド２６との間に橋渡しする態様で簡易支持する。このような開状態で、上記基板４５と下部外装カバー１２側の部品とを配線する作業、あるいは同基板４５と下部外装カバー１２側の部品との配線を取り外す作業等を行うことにより、例えば基板プレート４３を片手で持ちながら行う場合に比べて、同作業は効率的に行われる。
【００２７】
また、基板４５上の電子部品等の修理や部品交換等の作業においては、上記基板プレート４３を上記開状態にして行えばよく、例えば同基板プレート４３を上記下部外装カバー１２から完全に分離して床面Ｆに設置するなどする必要はない。従って、上記修理や部品交換等の作業において、基板４５と下部外装カバー１２側の部品との配線を完全に取り外すことなく、同作業を行うことができる。
【００２８】
一方、前記ガイドプレート５４を上記下部外装カバー１２から取り外す場合にも同様に、図３に示すようにまず装置本体を上記後端面１２ａ，１５ａと作業台の床面Ｆとが当接するように起立させる。この状態で、上記ガイドプレート５４を上記下部外装カバー１２（機構部支持台３１）に締結する全てのボルト５５を図６に示すように取り外すと、同ガイドプレート５４は、上記下部外装カバー１２から容易に取り外される。
【００２９】
また、上記ガイドプレート５４を上記下部外装カバー１２に取り付ける場合も、同様にすることで容易に行われる。
このように、上記ガイドプレート５４を上記下部外装カバー１２から容易に取り外し、あるいは容易に取り付けれることから、同ガイドプレート５４の内側に配置された前記ピックアップローラ５３の保守点検作業も効率的に行われる。
【００３０】
以上詳述したように、本実施形態によれば、以下に示す効果が得られるようになる。
（１）本実施形態では、装置本体を上記後端面１２ａ，１５ａと作業台の床面Ｆとが当接するように起立させることで、基板プレート４３を下部外装カバー１２から容易に取り外し、あるいは容易に取り付けることができる。そして、基板プレート４３に固定された基板４５の保守点検作業を効率的に行うことができる。
【００３１】
また同様にして、ガイドプレート５４を下部外装カバー１２から容易に取り外し、あるいは容易に取り付けることができる。そして、ガイドプレート５４の内側に配置されたピックアップローラ５３の保守点検作業も効率的に行うことができる。
【００３２】
さらに、給紙カセット２７を抜き取ることでファクシミリ装置１１の基板プレート４３及びガイドプレート５４が外部に露出するようにしたため、修理や部品交換等のために基板プレート４３やガイドプレート５４そのものを取り外す際の作業性も向上することができる。
【００３３】
（２）本実施形態では、下部外装カバー１２に給紙カセット２７が支持された状態において、同カセット２７の底壁がファクシミリ装置１１の底壁を兼ねるようにした。従って、ファクシミリ装置１１の構造を簡易なものとすることができる。また、ファクシミリ装置１１の底壁を別途、形成した場合に比べて省スペース化を図ることができる。
【００３４】
（３）本実施形態では、各接続ケーブル端子１６ａ〜１６ｃを下部外装カバー１２の左側面に形成された受話器支持部１６に配設した。従って、上述の保守点検作業において装置本体を起立させる場合においても、これら接続ケーブル端子１６ａ〜１６ｃに接続された接続ケーブルが邪魔になることはなく、同接続ケーブルを取り外す作業を回避することができる。
【００３５】
（４）本実施形態では、基板プレート４３を、段部４１ａとガイド２６との間に橋渡しする態様で簡易支持するようにした。従って、基板４５と下部外装カバー１２側の部品とを配線する作業、あるいは同基板４５と下部外装カバー１２側の部品との配線を取り外す作業等を効率的に行うことができる。
【００３６】
また、基板４５上の電子部品等の修理や部品交換等の作業においては、基板４５と下部外装カバー１２側の部品との配線を完全に取り外すことなく、同作業を行うことができる。
【００３７】
（５）本実施形態では、装置本体の後端面１２ａ，１５ａ側に重量物であるドナーカセット６５を配置している。従って、装置本体を上記のように起立させた場合においては、その重心を下側に配置することができ、同起立状態を安定して維持させることができる。
【００３８】
尚、本発明の実施の形態は上記実施形態に限定されるものではなく、次のように変更してもよい。
・前記実施形態においては、各接続ケーブル端子１６ａ〜１６ｃを下部外装カバー１２の左側面に形成された受話器支持部１６に配設したが、これら各接続ケーブル端子１６ａ〜１６ｃは任意の位置に配設するようにすればよい。要は、装置本体を起立させるに際して、これら各接続ケーブル端子１６ａ〜１６ｃが邪魔にならなければよい。また、装置本体を起立させるに先だって、これら各接続ケーブル端子１６ａ〜１６ｃを取り外さなくてはならない形状であってもよい。
【００３９】
・前記実施形態においては、下部外装カバー１２に給紙カセット２７が支持された状態において、同カセット２７の底壁がファクシミリ装置１１の底壁を兼ねるようにしたが、同ファクシミリ装置１１の底壁は別途設けたものであってもよい。
【００４０】
・前記実施形態においては、下部外装カバー１２の後端面１２ａ及びトップカバー１５の後端面１５ａが、下部外装カバー１２の底面１２ｂに対して略直角に起立する平坦面となるように形成したが、これは例えば下部外装カバー１２の右側又は左側端面と、対応するトップカバー１５の端面とが、下部外装カバー１２の底面１２ｂに対して略直角に起立する平坦面となるように形成してもよい。
【００４１】
・前記実施形態においては、下部外装カバー１２の後端面１２ａを、同カバー１２の底面１２ｂに対して略直角に起立する平坦面となるように形成したが、これは略直角に起立する必要は必ずしもない。要は、基板が設けられた装置本体のの底面側が現れるように起立させることのできる形状でありさえすればよい。
【００４２】
・前記実施形態においては、本発明をファクシミリ装置に具体化したが、これは、例えばコピー装置であってもよい。
【００４３】
【発明の効果】
請求項１に記載の発明では、装置本体が起立可能となるように同装置本体の一側面を平坦面としている。従って、装置本体をひっくり返したりすることなく起立させることで、同装置本体の底面側に設けられた機器保守用カバーを容易に取り外し、基板等の保守点検作業を効率的に行うことができる。
【００４４】
請求項２に記載の発明では、平坦面とされた一側面は、接続ケーブル端子が配設されない一側面である。従って、装置本体を起立させる場合に、接続ケーブル端子に接続された接続ケーブルが邪魔になることはなく、同接続ケーブルを取り外す作業を回避することができる。
【００４５】
請求項３に記載の発明では、装置本体を起立させた場合においては、その重心を下側に配置することができ、同起立状態を安定して維持させることができる。
【図面の簡単な説明】
【図１】本発明に係る画像形成装置の一実施形態が適用されるファクシミリ装置を示す左側面図。
【図２】同実施形態を示す断面図。
【図３】同実施形態を示す斜視図。
【図４】同実施形態を示す斜視図。
【図５】同実施形態の組み付け態様を示す斜視図。
【図６】同実施形態の組み付け態様を示す斜視図。
【符号の説明】
１２…下部外装カバー、１５…トップカバー、１２ａ，１５ａ…後端面、１６ａ，１６ｂ，１６ｃ…接続ケーブル端子、２１…左側フレーム、２３…右側フレーム、２７…給紙カセット、４５…基板。
【図１】
0003800848.tif 000002
【図２】
0003800848.tif 000003
【図３】
0003800848.tif 000004
【図４】
0003800848.tif 000005
【図５】
0003800848.tif 000006
【図６】
0003800848.tif 000007